(57)【特許請求の範囲】
【請求項１】
フィラメントを有する放電灯であって、特性電圧よりも高い電圧を供給するとランプ電流が増大し、特性電圧よりも低い電圧を供給するとランプ電流が減少する放電灯と、交流実効電圧値が前記特性電圧よりも高く且つ電圧値を連続的に変化できる第１の電圧源と、交流実効電圧値が前記特性電圧よりも低く且つ電圧値を連続的に変化できる第２の電圧源と、第１及び第２の電圧源を交互に放電灯に接続して安定点灯するように切り換えるスイッチ手段とを備えスイッチ手段の第１の端子を第１の電圧源及びフィラメントの非電源側に接続し、スイッチ手段の共通端子をフィラメントの電源側に接続し、スイッチ手段の第２の端子を第２の電圧源に接続して、スイッチ手段の共通端子をスイッチ手段の第１の端子間に導通させるか、スイッチ手段の第２の端子間に導通させるかをスイッチ手段によって切り換える構成とすることで、放電灯の特性電圧よりも低い交流実効電圧値を持つ第２の電圧源から放電灯に電圧を印加している期間において、放電灯のフィラメントを予熱する構成としたことを特徴とする放電灯点灯装置。
【請求項２】
放電灯の出力を小さくしたときに、フィラメント予熱電力を大きくする方向に変化させることを特徴とする請求項１記載の放電灯点灯装置。
【請求項３】
第１の電圧源と第２の電圧源との電圧差を変化させてフィラメント予熱電力を制御することを特徴とする請求項１記載の放電灯点灯装置。
【請求項４】
第１の電圧源と第２の電圧源の単位時間当たりの放電灯に接続する時間比率を変化させてフィラメント予熱電力を制御することを特徴とする請求項１記載の放電灯点灯装置。
【請求項５】
第２の電圧源が放電灯に接続されている期間に、第１の電圧源と第２の電圧源との電圧差により放電灯のフィラメントを予熱することを特徴とする請求項１記載の放電灯点灯装置。
【請求項６】
第１の電圧源は電圧値を連続的に変化できる第３の電圧源と前記第２の電圧源とを直列接続することにより構成することを特徴とする請求項１記載の放電灯点灯装置。
【発明の詳細な説明】
【０００１】
【発明の属する技術分野】
本発明は、限流要素を小さくしてフィラメントを有する放電灯を安定に点灯する放電灯点灯装置に関するものである。
【０００２】
【従来の技術】
図８に第１の従来例（特開平９−９７６９４号）の回路図を示す。この回路は放電灯ＬＰと電源の間に挿入されたスイッチ手段ＳＷを制御回路（図示せず）によりａ側あるいはｂ側に高速に切り替えて、放電灯ＬＰの特性電圧よりも高い交流実効電圧値を持つ交流電源ＡＣ１と、放電灯ＬＰの特性電圧よりも低い交流実効電圧値を持つ交流電源ＡＣ２を交互に使用して、ランプ電流を設定範囲に制御して点灯しようとするものであり、限流要素を小さくできる。図９に放電灯ＬＰに印加されるランプ電圧の波形を一例として示す。ランプ特性電圧Ｖ１，Ｖ２よりも高い電圧を供給するとランプ電流は増大し、ランプ特性電圧Ｖ１，Ｖ２よりも低い電圧を供給するとランプ電流は減少するので、スイッチ手段ＳＷの切り替えを適切に制御することにより、ランプ電流を制御することができるのである。また、交流電源ＡＣ１，ＡＣ２を電圧可変交流電源とすることで、ランプ電流を増加したときのランプ特性電圧の低下に伴う電源電圧との差電圧を小さくすることが可能となり、放電灯ＬＰへのストレスを低減しながら限流要素を小さくすることが可能である。
【０００３】
図１０は調光点灯時の動作を示している。図中、Ｖ１，Ｖ２は全点灯時のランプ特性電圧であり、Ｖ１’，Ｖ２’は調光点灯時のランプ特性電圧である。このように、ランプ特性電圧は調光の度合いを増すと全点灯時よりも次第に高くなっていく。従って、調光時にはランプ特性電圧の上昇に従って交流電源ＡＣ１の電圧をより高くし、放電灯ＬＰが交流電源ＡＣ１に接続される電圧周期をより少なくすることにより調光点灯が可能となる。
【０００４】
図１１は第２の従来例（上記特開平９−９７６９４号の別の実施例）の回路図であり、その動作波形図を図１２に示す。本従来例の基本構成は、ユニット化した複数の電圧源を制御手段３により直列に自由に接続して負荷である放電灯ＬＰに接続したもので、インダクタＬｆとキャパシタＣｆのフィルタ回路と組み合わせることによって放電灯ＬＰに正弦波状の電流を供給可能としたものである。電圧源としてのキャパシタＣ１，…，Ｃｎへの充電は、放電が行われていない期間にスイッチ素子Ｓｃをオンすることにより、直流電源ＤＣ５からダイオードＤ１，…，Ｄ５を介して行う。
【０００５】
ユニット化した複数の電圧源の各ユニットは、１つのキャパシタＣｉ（ｉ＝１，２，…，ｎ）と、これを囲むスイッチ素子Ｓｉａ，Ｓｉｂ，Ｓｉｃ，Ｓｉｄのブリッジ回路で構成される。例えば、キャパシタＣ１に対してスイッチ素子Ｓ１ａ，Ｓ１ｂ，Ｓ１ｃ，Ｓ１ｄを組み合わせて１ユニットとする。ユニットの動作は、キャパシタＣ１のプラス極をインダクタＬｆに接続し、マイナス極をＢ点に接続したい場合には、スイッチ素子Ｓ１ａ、Ｓ１ｄ、Ｓ２ｃ、Ｓ２ｄ、Ｓ３ｃ、Ｓ３ｄ、…、Ｓｎｃ、Ｓｎｄをオンし、その他のスイッチ素子をオフする。全てのキャパシタＣ１，…，Ｃｎを直列に接続する場合には、各ユニットで添字がａとｄのスイッチ素子を全てオンにし、その他をオフにする。また、これと逆極性の電圧を放電灯ＬＰに供給したい場合には、各ユニットで添字がｂとｃのスイッチ素子を全てオンにし、その他をオフにする。このようにして直列接続する電源の数を変化させることができ、小さなインダクタＬｆとキャパシタＣｆのフィルタ回路によって滑らかな交流電流を放電灯ＬＰに供給することが可能である。
【０００６】
図１２の動作波形図を用いてキャパシタが５個の場合について説明する。時刻ｔ０でランプ電圧Ｖｚがゼロクロスし、時刻ｔ１までスイッチ素子Ｓ１ａ、Ｓ１ｄ、Ｓ２ｃ、Ｓ２ｄ、Ｓ３ｃ、Ｓ３ｄ、Ｓ４ｃ、Ｓ４ｄ、Ｓ５ｃ、Ｓ５ｄをオンし、その他をオフにする。このようにしてキャパシタＣ１をフィルタ回路に接続すると電流が次第に増加していく。続く時刻ｔ２までスイッチ素子Ｓ１ａ、Ｓ１ｄ、Ｓ２ａ、Ｓ２ｄ、Ｓ３ｃ、Ｓ３ｄ、Ｓ４ｃ、Ｓ４ｄ、Ｓ５ｃ、Ｓ５ｄをオンし、その他をオフにする。このようにしてキャパシタＣ１、Ｃ２をフィルタ回路に接続すると電流が次第に増加していく。さらに時刻ｔ３までスイッチ素子Ｓ１ａ、Ｓ１ｄ、Ｓ２ａ、Ｓ２ｄ、Ｓ３ａ、Ｓ３ｄ、Ｓ４ｃ、Ｓ４ｄ、Ｓ５ｃ、Ｓ５ｄをオンし、その他をオフにする。このようにして、キャパシタＣ１、Ｃ２、Ｃ３をフィルタ回路に接続すると、電流が次第に増加していく。同様に時刻ｔ４、ｔ５と接続するキャパシタ数を増加していき、各時刻ｔ０，ｔ１，…，ｔ５の間の期間を適切な長さに設定すれば、電圧波形を略正弦波状に上昇させることが可能となる。時刻ｔ６〜ｔ１０にかけて接続するキャパシタの個数を減少していき、同様に略正弦波状に電圧波形を下降していく。
【０００７】
時刻ｔ１０からは、キャパシタの極性を逆に接続し、同様にしてマイナス側の波形を作る。例えば、時刻ｔ１１までスイッチ素子Ｓ１ｂ、Ｓ１ｃ、Ｓ２ｃ、Ｓ２ｄ、Ｓ３ｃ、Ｓ３ｄ、Ｓ４ｃ、Ｓ４ｄ、Ｓ５ｃ、Ｓ５ｄをオンし、その他をオフにする。このようにしてキャパシタＣ１を先ほどとは逆極性にフィルタ回路に接続すると電流が次第に負方向に増加していき、正方向の場合と同様のやり方で波形を作っていく。時刻ｔ２０からはプラスの波形を作っていくが、ここでは、直列接続されるキャパシタの数を３個とした場合を示している。キャパシタの接続の手順やフィルタの動作についてはキャパシタが５個の場合と同様であり、この場合はピーク値の低い電圧の供給が可能となる。
【０００８】
このように各スイッチ手段の制御によって接続するキャパシタの数、即ち電圧源の個数を変化させることが可能で、例えば、ランプ電流を検出し、設定値よりも増加した場合はランプの特性電圧よりも上の電圧源の振幅や接続周期を減少するか、或いはランプの特性電圧よりも下の電圧源の振幅を減少するか接続周期を増加すれば、ランプ電流を安定方向に制御可能となる。
【０００９】
【発明が解決しようとする課題】
しかしながら、上述の従来技術を用いて、蛍光ランプのようなフィラメントを持つ放電灯を調光点灯する場合、一般に調光の度合いが深くなるに従って、フィラメント予熱電流を適切に増加させないと、エミッタの消耗が大きくなるので、ランプ寿命が短くなるという課題がある。
【００１０】
本発明はこのような点に鑑みてなされたものであり、その目的とするところは、フィラメントを持つ陰極予熱型の放電灯を調光点灯する場合に、フィラメント予熱電流を適切に供給し得る放電灯点灯装置を提供することにある。
【００１１】
【課題を解決するための手段】
本発明によれば、上記の課題を解決するために、図１に示すように、フィラメントＦ１，Ｆ２を有する放電灯であって、特性電圧よりも高い電圧を供給するとランプ電流が増大し、特性電圧よりも低い電圧を供給するとランプ電流が減少する放電灯ＬＰと、交流実効電圧値が前記特性電圧よりも高く且つ電圧値を連続的に変化できる第１の電圧源ＡＣ１と、交流実効電圧値が前記特性電圧よりも低く且つ電圧値を連続的に変化できる第２の電圧源ＡＣ２と、第１及び第２の電圧源ＡＣ１，ＡＣ２を交互に放電灯ＬＰに接続して安定点灯するように切り換えるスイッチ手段ＳＷとを備えスイッチ手段ＳＷの第１の端子ａを第１の電圧源ＡＣ１及びフィラメントＦ１の非電源側に接続し、スイッチ手段ＳＷの共通端子をフィラメントＦ１の電源側に接続し、スイッチ手段ＳＷの第２の端子ｂを第２の電圧源ＡＣ２に接続して、スイッチ手段ＳＷの共通端子をスイッチ手段ＳＷの第１の端子ａ間に導通させるか、スイッチ手段ＳＷの第２の端子ｂ間に導通させるかをスイッチ手段ＳＷによって切り換える構成とすることで、放電灯ＬＰの特性電圧よりも低い交流実効電圧値を持つ第２の電圧源ＡＣ２から放電灯ＬＰに電圧を印加している期間において、放電灯ＬＰのフィラメントＦ１を予熱する構成としたことを特徴とするものである。
【００１２】
【発明の実施の形態】
（実施例１）
本発明の実施例１の主回路の構成を図１に示す。本実施例は図８の従来例に対して放電灯ＬＰのスイッチ手段ＳＷの接続された側のフィラメントＦ１の非電源側の端子を、放電灯ＬＰの特性電圧よりも高い交流実効電圧値を持つ交流電源ＡＣ１のスイッチ手段ＳＷと接続された側の端子とを接続したものである。
【００１３】
このような構成とすることにより、図２に示すように、放電灯ＬＰの特性電圧よりも低い交流実効電圧値を持つ交流電源ＡＣ２から放電灯ＬＰに電圧を印加している期間において、フィラメントＦ１には交流電源ＡＣ１とＡＣ２の差電圧が印加されてフィラメントＦ１を予熱することができる。図中、Ｖｆ１はフィラメントＦ１に印加される電圧、Ｖｚは放電灯ＬＰに印加される電圧である。調光を深くするに従って放電灯ＬＰの特性電圧が上昇するため、交流電源ＡＣ１の電圧を大きくすると同時に、交流電源ＡＣ１が放電灯ＬＰに接続される期間Ｔ１を交流電源ＡＣ２が放電灯ＬＰに接続される期間Ｔ２に比べて短くして、平均して放電灯ＬＰに供給する電力を低減する。従って、フィラメントＦ１に印加される差電圧Ｖｆ１＝（Ｖａｃ１−Ｖａｃ２）は調光するに従って大きくなり、フィラメントＦ１に電力を供給する期間Ｔ２も長くなることより、フィラメントＦ１に供給される電力は調光が深くなるに従って大きくすることができる。
【００１４】
以上の例ではフィラメントＦ１のみの予熱が可能であるが、図３に示すように、放電灯ＬＰの他側の端子にも交流電源ＡＣ１とＡＣ２を切り換えるスイッチ手段ＳＷ２を挿入して制御回路（図示せず）によりスイッチ手段ＳＷ１とＳＷ２を同期させてａ側またはｂ側に切り替え動作させると、スイッチ手段ＳＷ１，ＳＷ２がｂ側に切り替わったときに、フィラメントＦ１及びＦ２の直列回路に対して交流電源ＡＣ１とＡＣ２の差電圧を印加できる。
【００１５】
以上のように本実施例では、交流電源ＡＣ１とＡＣ２の差電圧により調光が深くなるに従ってフィラメント予熱電流を増加させることにより、調光時のランプ寿命を長くすることができるという効果がある。
【００１６】
（実施例２）
本発明の実施例２は、上述の実施例１の回路構成において、交流電源ＡＣ１の振幅は調光が深いときのランプ特性電圧よりも高く設定しておき、調光の深さに拘わらず一定とする。そして、全点灯時には交流電源ＡＣ２が放電灯ＬＰに接続される期間Ｔ２を小さくして平均して放電灯ＬＰに供給される電力を大きくし、調光が深くなるに従って交流電源ＡＣ２が放電灯ＬＰに接続されるＴ２の期間を大きくして平均して放電灯ＬＰに供給される電力を小さくするものである。従って、調光が深くなるに従ってフィラメントに供給される電力は大きくなる。
【００１７】
以上のように、本実施例では交流電源ＡＣ１の電圧振幅を変えないため、交流電源ＡＣ１の構成が簡単にできるという効果があり、更に交流電源ＡＣ１とＡＣ２の差電圧により、調光が深くなるに従ってフィラメント予熱電流を増加させるので、調光時のランプ寿命を長くすることができるという効果がある。
【００１８】
（実施例３）
本発明の実施例３は、上述の実施例１の回路構成において、調光を深くするに従ってランプの特性電圧が上昇するため、それにつれて交流電源ＡＣ１の電圧を大きくすると同時に、交流電源ＡＣ２の電圧を小さくして平均して放電灯ＬＰに供給される電力を小さくするものである。調光が深くなるに従って交流電源ＡＣ１とＡＣ２の差電圧が大きくなるため、フィラメントに供給される電力は大きくなる。本実施例では、交流電源ＡＣ１が放電灯ＬＰに接続される期間Ｔ１と交流電源ＡＣ２が放電灯ＬＰに接続される期間Ｔ２は、調光度合いに拘わらず一定に保つことが可能であり、スイッチ手段の切換え制御を簡単にできるという効果がある。更に交流電源ＡＣ１とＡＣ２の差電圧により、調光が深くなるに従ってフィラメント予熱電流を増加させるので、調光時のランプ寿命を長くすることができるという効果がある。
【００１９】
（実施例４）
本発明の実施例４の主回路の構成を図４に示す。本実施例では放電灯ＬＰの特性電圧よりも低い交流実効電圧値を持つ交流電源ＡＣａと、交流電源ＡＣａと同位相で交流電源ＡＣａと直列接続することにより放電灯ＬＰの特性電圧よりも高い交流実効電圧値を放電灯ＬＰに供給する交流電源ＡＣｂを直列接続したものである。本実施例の交流電源ＡＣａは図１の交流電源ＡＣ２に対応しており、交流電源ＡＣａとＡＣｂの直列回路が図１の交流電源ＡＣ１に対応している。スイッチ手段ＳＷにより交流電源ＡＣａとＡＣｂの直列回路あるいは交流電源ＡＣａを高速に切り換えて放電灯ＬＰに接続することにより、ランプ電流を設定範囲に制御して点灯させる。更に交流電源ＡＣｂの交流電源ＡＣａと接続されていない側の出力端と、放電灯ＬＰのスイッチ手段ＳＷに接続された側のフィラメントＦ１の非電源側の端子とを接続して、交流電源ＡＣａのみが放電灯ＬＰに接続されている期間に、交流電源ＡＣｂによりフィラメントＦ１を予熱するものである。このような構成とすることにより実施例１と同様に放電灯ＬＰの特性電圧よりも低い交流実効電圧値を持つ交流電源ＡＣａから放電灯ＬＰに電圧を印加している期間、フィラメントＦ１には交流電源ＡＣｂの電圧が印加されてフィラメントＦ１を予熱することができる。
【００２０】
また、図５に示すように、交流電源ＡＣｂを２個の交流電源ＡＣｂ１とＡＣｂ２に分けて、交流電源ＡＣａの両端子に直列接続し、交流電源ＡＣａと放電灯ＬＰの両極端子間にスイッチ手段ＳＷ１，ＳＷ２をそれぞれ接続し、交流電源ＡＣｂ１，ＡＣｂ２の交流電源ＡＣａと接続されていない側の端子と放電灯ＬＰのそれぞれのフィラメントＦ１，Ｆ２のスイッチ手段ＳＷ１，ＳＷ２と接続されていない側を接続して、スイッチ手段ＳＷ１，ＳＷ２を同期させて切り替え動作させると、交流電源ＡＣａのみが放電灯ＬＰに接続されている期間はフィラメントＦ１及びＦ２がそれぞれ交流電源ＡＣｂ１とＡＣｂ２により予熱される。
【００２１】
本実施例は実施例１〜３と同様に、交流電源ＡＣａ，ＡＣｂの電圧設定及びスイッチ手段の切換え制御を行って調光を行うことにより、調光が深くなるに従ってフィラメント予熱電流を増加させて、調光時のランプ寿命を長くできるという効果がある。
【００２２】
（実施例５）
本発明の実施例５の主回路の構成を図６に示す。本実施例は実施例４の具体的な回路構成例の一つであり、図１１に示す従来例２において直列接続された電圧源ユニットを３分割して、両端の電圧源ユニットを放電灯ＬＰのフィラメントＦ１，Ｆ２に接続し、中央の電圧源ユニットを放電灯ＬＰに接続するものである。図６において、キャパシタＣ１，Ｃ２，…，Ｃｎとスイッチ素子Ｓ１ａ，Ｓ１ｂ，Ｓ１ｃ，Ｓ１ｄ，…，Ｓｎａ，Ｓｎｂ，Ｓｎｃ，Ｓｎｄ及びダイオードＤ１，Ｄ２，…，Ｄｎとスイッチ素子Ｓｃから成る電圧源の構成については、図１１に示した従来例２と同様である。本実施例では、この電圧源ユニットの出力端であるスイッチ素子Ｓ１ａ，Ｓ１ｃの接続点、スイッチ素子Ｓ３ａ，Ｓ３ｃの接続点、スイッチ素子Ｓｎ−２ｂ，Ｓｎ−２ｄの接続点、スイッチ素子Ｓｎｂ，Ｓｎｄの接続点に、それぞれスイッチ素子Ｓ１ｐ，Ｓ３ｐ，Ｓｎ−２ｐ，Ｓｎｐの一端を接続し、スイッチ素子Ｓ１ｐ，Ｓ３ｐの他端とスイッチ素子Ｓｎ−２ｐ，Ｓｎｐの他端の間に、放電灯ＬＰとインダクタＬｆ及びキャパシタＣｆからなるフィルタ回路を接続したものである。さらに、更にスイッチ素子Ｓ１ａ、Ｓ１ｃの接続点とフィラメントＦ１の非電源側を接続し、スイッチ素子Ｓｎｂ、Ｓｎｄの接続点とフィラメントＦ２の非電源側を接続したものである。
【００２３】
本実施例の回路動作は、放電灯ＬＰの特性電圧よりも高い電圧を印加する場合には、スイッチ素子Ｓ１ｐ、Ｓｎｐをオン、スイッチ素子Ｓ３ｐ、Ｓｎ−２ｐをオフしてキャパシタＣ１〜Ｃｎを図１１の従来例と同様に順次切り換えながら接続して略正弦波状の交流電圧を放電灯ＬＰに印加する。このとき、フィラメントＦ１，Ｆ２には電流は流れない。一方、放電灯ＬＰの特性電圧よりも低い電圧を印加する場合には、スイッチ素子Ｓ３ｐ、Ｓｎ−２ｐをオン、スイッチ素子Ｓ１ｐ、ＳｎｐをオフしてキャパシタＣ３〜Ｃｎ−２を図１１の従来例と同様に順次切換えながら接続して略正弦波状の交流電圧を放電灯ＬＰに印加する。このときキャパシタＣ１、Ｃ２よりフィラメントＦ１を、キャパシタＣｎ−１、ＣｎによりフィラメントＦ２を予熱する。
【００２４】
ここで、ランプ特性電圧よりも高い電圧を印加するときに、全点灯時にはキャパシタＣ２〜Ｃｎ−１を直列接続し、キャパシタＣ１、Ｃｎをバイパスするようにして放電灯ＬＰに印加する電圧の振幅を小さくしながら、スイッチ素子Ｓ３ｐ、Ｓｎ−２ｐをオンしてランプ特性電圧よりも低い電圧を印加する期間を短くし、調光時にはキャパシタＣ１〜Ｃｎを直列接続してより大きい振幅の電圧を印加しながら、スイッチ素子Ｓ３ｐ、Ｓｎ−２ｐをオンしてランプ特性電圧よりも低い電圧を印加する期間を長くすれば、実施例１と同様な動作で調光時にフィラメント電流を増加させることが可能となる。
【００２５】
また、ランプ特性電圧よりも高い電圧を印加するときには、常にキャパシタＣ１〜Ｃｎを使い、全点灯時にはスイッチ素子Ｓ３ｐ、Ｓｎ−２ｐをオンしてランプ特性電圧よりも低い電圧を印加する期間を相対的に短くし、調光時にはこの期間を相対的に長くすることにより実施例２と同様の方式で調光時にフィラメント電流を増加させることが可能となる。
【００２６】
なお、本実施例では、ランプ特性電圧よりも低い電圧を供給する径路を構成するスイッチ素子Ｓ３ｐ，Ｓｎ−２ｐをスイッチ素子Ｓ３ａ、Ｓ３ｃの接続点及びスイッチ素子Ｓｎ−２ｂ、Ｓｎ−２ｄの接続点に接続されるものとして説明したが、これは一例であり、例えばスイッチ素子Ｓ４ａ、Ｓ４ｃの接続点及びスイッチ素子Ｓｎ−３ｂ、Ｓｎ−３ｄの接続点等、異なる場所に設けても構わない。
【００２７】
本実施例は共振回路を用いることなく、スイッチ手段とキャパシタ及び微小なフィルタ回路により滑らかな略正弦波状の電圧を放電灯ＬＰに供給する回路において、調光時にフィラメント予熱電流を増加させて、調光時のランプ寿命を長くできるという効果がある。
【００２８】
（実施例６）
本発明の実施例６の主回路の構成を図７に示す。本実施例は図６に示した実施例５において、スイッチ素子Ｓ２ａ、Ｓ２ｃの接続点にスイッチ素子Ｓ２ｐを、スイッチ素子Ｓｎ−１ｂ、Ｓｎ−１ｄの接続点にスイッチ素子Ｓｎ−１ｐを追加したものであり、全点灯時にランプ特性電圧よりも低い電圧を放電灯ＬＰに印加する場合にはスイッチ素子Ｓ１ｐ、Ｓｎｐをオフ、スイッチ素子Ｓ２ｐ、Ｓｎ−１ｐをオンしてキャパシタＣ２〜Ｃｎ−１により略正弦波状の電圧を放電灯ＬＰに印加する。このとき、キャパシタＣ１，Ｃｎによりフィラメントを予熱する。調光が深くなるに従ってランプ特性電圧よりも低い電圧を放電灯ＬＰに印加する場合にはスイッチ素子Ｓ２ｐ、Ｓｎ−１ｐをオンする代わりにスイッチ素子Ｓ３ｐ、Ｓｎ−２ｐをオンする、或いはスイッチ素子Ｓ３ｐ、Ｓｎ−１ｐ又はスイッチ素子Ｓ２ｐ、Ｓｎ−２ｐを交互にオンすることにより平均して放電灯ＬＰに印加する電力を低減する。一方、フィラメントＦ１，Ｆ２には調光が深くなるに従って、キャパシタＣ１によりフィラメントＦ１を、キャパシタＣｎによりフィラメントＦ２を予熱する状態から、キャパシタＣ１、Ｃ２によりフィラメントＦ１を、キャパシタＣｎ−１、ＣｎによりフィラメントＦ２を予熱する状態へというようにフィラメント印加電圧を増大させることができる。これにより、本実施例においても実施例５と同様、調光時にフィラメント予熱電流を増加させて、調光時のランプ寿命を長くすることができるという効果がある。
【００２９】
【発明の効果】
請求項１乃至６の発明によれば、電圧源を用いてランプ電流自体を直接制御することにより、限流要素を小さくして小型の放電灯点灯装置を実現でき、かつ放電灯の広範囲の出力変化に対応でき、かつフィラメントに予熱電流を流してランプ寿命を長くすることができるという効果がある。
【００３０】
請求項２の発明によれば調光が深くなるに従ってフィラメント予熱電流を増加させて、調光時のランプ寿命を長くすることができるという効果がある。
請求項３の発明によれば、第１の電圧源と第２の電圧源との電圧差を変化させてフィラメント予熱電力を制御するため、切り換え手段を特に制御することなく、調光が深くなるに従ってフィラメント予熱電流を増加させて、調光時のランプ寿命を長くすることができるという効果がある。
【００３１】
請求項４の発明によれば、切り換え手段により第１の電圧源と第２の電圧源の単位時間当たりの放電灯への接続時間比率を変えることによりフィラメント予熱電力を制御するものであるから、第１の電圧源と第２の電圧源の電圧差を特に変化させることなく、調光が深くなるに従ってフィラメント予熱電流を増加させて、調光時のランプ寿命を長くすることができるという効果がある。
【００３２】
請求項５の発明によれば、第１の電圧源が放電灯に接続されたときと、第２の電圧源が放電灯に接続されたときでフィラメント電流が大きく変化するため、全点灯時と調光時のフィラメント電流の差をより大きくして、調光時のランプ寿命を長くすることができるという効果がある。
【図面の簡単な説明】
【図１】本発明の実施例１の回路図である。
【図２】本発明の実施例１の動作説明のための波形図である。
【図３】本発明の実施例１の一変形例を示す回路図である。
【図４】本発明の実施例４の回路図である。
【図５】本発明の実施例４の一変形例を示す回路図である。
【図６】本発明の実施例５の回路図である。
【図７】本発明の実施例６の回路図である。
【図８】第１の従来例の回路図である。
【図９】第１の従来例の基本的な動作を示す波形図である。
【図１０】第１の従来例の調光点灯時の動作を示す波形図である。
【図１１】第２の従来例の回路図である。
【図１２】第２の従来例の動作を示す波形図である。
【符号の説明】
ＬＰ      放電灯
ＳＷ      スイッチ手段
ＡＣ１    第１の交流電源
ＡＣ２    第２の交流電源
Ｆ１      フィラメント
Ｆ２      フィラメント
【図１】
0003867403.tif 000002
【図２】
0003867403.tif 000003
【図３】
0003867403.tif 000004
【図４】
0003867403.tif 000005
【図５】
0003867403.tif 000006
【図６】
0003867403.tif 000007
【図７】
0003867403.tif 000008
【図８】
0003867403.tif 000009
【図９】
0003867403.tif 000010
【図１０】
0003867403.tif 000011
【図１１】
0003867403.tif 000012
【図１２】
0003867403.tif 000013